(57)【要約】【課題】浴槽の残り湯の熱回収終了後に再度熱回収を行う熱回収システムを提供する。【解決手段】浴槽１２の残り湯を熱源に貯湯タンク１１内の湯水を加熱する熱交換器１３と、貯湯タンク１１内下部の湯水の温度を計測する第１の温度センサ１４と、浴槽１２内の残り湯の温度を計測する第２の温度センサ１５と、第１の温度センサ１４及び第２の温度センサ１５で計測された温度を検知して浴槽１２内の残り湯の熱回収を行う制御装置１６とを備え、制御装置１６は、浴槽１２の残り湯の熱回収が終了した時点で第１の温度センサ１４の計測する温度Ｘ２を記録し、その後、第１の温度センサ１４が計測する温度が温度Ｘ２から予め設定した設定温度Ｔ２を差し引いた温度より低い温度Ｘ３になったことを検知したとき、浴槽１２の残り湯の温度Ｙ２を第２の温度センサ１５によって計測し、温度Ｙ２が温度Ｘ３に比べ設定温度Ｔ１以上高いとき、浴槽１２の残り湯の熱回収を行う。【選択図】図１
2010286192.tif 000002
【特許請求の範囲】
【請求項１】
湯水を貯留する貯湯タンクと、
浴槽内の残り湯を熱源に前記貯湯タンク内の湯水を加熱し該浴槽内の残り湯の熱回収をする熱交換器と、
前記貯湯タンク内下部の湯水の温度を計測する第１の温度センサと、
前記浴槽内の残り湯の温度を計測する第２の温度センサと、
前記第１の温度センサ及び前記第２の温度センサで計測された温度を検知して前記浴槽内の残り湯の熱回収を行う制御装置とを備え、
前記制御装置は、
（１）熱回収開始入力があったとき、前記第１の温度センサによって前記貯湯タンク内下部の湯水の温度Ｘ１を計測すると共に、前記浴槽の残り湯の温度Ｙ１を前記第２の温度センサによって計測する手段Ａと、
（２）前記温度Ｙ１が前記温度Ｘ１より予め設定された設定温度Ｔ１以上高いことを条件に、前記貯湯タンクの湯水を前記熱交換器に送り出し、該熱交換器で前記浴槽の残り湯の熱回収を行う手段Ｂとを有し、
しかも、前記制御装置は、前記手段Ｂによる熱回収が終了した時点で、新たな熱回収開始入力がなしで、特定の条件で前記浴槽の残り湯の熱回収を自動的に行うことが可能な待機状態になることを特徴とする熱回収システム。
【請求項２】
請求項１記載の熱回収システムにおいて、前記制御装置は、
（１）前記手段Bによる前記浴槽の残り湯の熱回収が終了した時点で前記第１の温度センサの計測する温度Ｘ２を記録する手段Ｃと、
（２）その後、前記第１の温度センサが計測する温度が前記温度Ｘ２から予め設定した設定温度Ｔ２を差し引いた温度より低い温度Ｘ３になったことを検知したとき、前記浴槽の残り湯の温度Ｙ２を前記第２の温度センサによって計測する手段Ｄと、
（３）前記温度Ｙ２が前記温度Ｘ３に比べ前記設定温度Ｔ１以上高いとき、前記浴槽の残り湯の熱回収を行う手段Ｅとを有することを特徴とする熱回収システム。
【請求項３】
請求項１及び２のいずれか１項に記載の熱回収システムにおいて、前記制御装置は、熱回収開始入力からの経過時間が予め設定された設定時間Ｐとなったのを検知した場合、前記浴槽の残り湯の熱回収を開始しない状態にする手段Ｇを有することを特徴とする熱回収システム。
【請求項４】
請求項２記載の熱回収システムにおいて、前記貯湯タンクの湯水を加熱する加熱手段が設けられ、前記制御装置は、該加熱手段による前記貯湯タンクの湯水の加熱終了以降に検知した該貯湯タンク内下部の湯水の最低温度Ｘｂを記録し、前記手段Ｂ又は前記手段Ｅによる熱回収が終了した時点での前記浴槽の残り湯の温度が、予め設定された設定温度Ｔ３に前記最低温度Ｘｂを加えた温度より低い場合には、該浴槽の残り湯の熱回収を開始しない状態にする手段Ｈを有することを特徴とする熱回収システム。
【発明の詳細な説明】
【技術分野】
【０００１】
本発明は、浴槽の残り湯の熱を回収して貯湯タンク内の湯水を加熱する熱回収システムに関する。
【背景技術】
【０００２】
従来、浴槽の残り湯の熱を回収して貯湯タンクの湯水を加熱する熱回収システムが提案されており、その具体例が例えば特許文献１に記載されている。
特許文献１に記載の熱回収システムは、貯湯タンク下部から送り出される湯水を加熱する熱交換器を有し、浴槽の残り湯を循環させ、熱交換器で浴槽の残り湯を熱源に貯湯タンクから取り出した湯水を加熱して浴槽の残り湯の熱回収を行っている。
【０００３】
熱交換器は、その仕様上、加熱のための熱源が加熱対象物に比べ所定温度以上高温である場合に、加熱対象物の加熱を安定して行うことができる。このため、熱交換器による浴槽の残り湯の熱回収は、浴槽の残り湯が貯湯タンク下部の湯水より所定温度以上高温であることを条件に行われ、所定温度以下となった時点で終了する。
そして、貯湯タンクは一般的に浴槽よりも保温性に優れ、浴槽に比べて放熱による温度低下は緩やかであるので、放熱以外の温度変化がなければ、熱回収終了後に再び貯湯タンクの湯水と浴槽の残り湯の温度関係が、熱回収可能な条件にはならず、浴槽の残り湯の熱回収は一回で終了している。
【先行技術文献】
【特許文献】
【０００４】
【特許文献１】特開２００８−１１１５７４号公報
【発明の概要】
【発明が解決しようとする課題】
【０００５】
しかし、熱回収終了後、貯湯タンクから台所、洗面所等への給湯があり、貯湯タンクの湯水量を一定に保つべく貯湯タンクへ水道水が給水される場合があり、この場合、貯湯タンクの湯水の温度が低下して貯湯タンクの湯水と浴槽の残り湯の温度関係が熱回収可能な条件を具備するようになることがある。
本発明は、かかる事情に鑑みてなされるもので、熱回収終了後に再度熱回収を行うことができる熱回収システムの提供を目的とする。
【課題を解決するための手段】
【０００６】
前記目的に沿う本発明に係る熱回収システムは、湯水を貯留する貯湯タンクと、浴槽内の残り湯を熱源に前記貯湯タンク内の湯水を加熱し該浴槽内の残り湯の熱回収をする熱交換器と、前記貯湯タンク内下部の湯水の温度を計測する第１の温度センサと、前記浴槽内の残り湯の温度を計測する第２の温度センサと、前記第１の温度センサ及び前記第２の温度センサで計測された温度を検知して前記浴槽内の残り湯の熱回収を行う制御装置とを備え、前記制御装置は、（１）熱回収開始入力があったとき、前記第１の温度センサによって前記貯湯タンク内下部の湯水の温度Ｘ１を計測すると共に、前記浴槽の残り湯の温度Ｙ１を前記第２の温度センサによって計測する手段Ａと、（２）前記温度Ｙ１が前記温度Ｘ１より予め設定された設定温度Ｔ１以上高いことを条件に、前記貯湯タンクの湯水を前記熱交換器に送り出し、該熱交換器で前記浴槽の残り湯の熱回収を行う手段Ｂとを有し、しかも、前記制御装置は、前記手段Ｂによる熱回収が終了した時点で、新たな熱回収開始入力がなしで、特定の条件（以下に記載する）で前記浴槽の残り湯の熱回収を自動的に行うことが可能な待機状態になる。
【０００７】
本発明に係る熱回収システムにおいて、前記制御装置は、（１）前記手段Bによる前記浴槽の残り湯の熱回収が終了した時点で前記第１の温度センサの計測する温度Ｘ２を記録する手段Ｃと、（２）その後、前記第１の温度センサが計測する温度が前記温度Ｘ２から予め設定した設定温度Ｔ２を差し引いた温度より低い温度Ｘ３になったことを検知したとき、前記浴槽の残り湯の温度Ｙ２を前記第２の温度センサによって計測する手段Ｄと、（３）前記温度Ｙ２が前記温度Ｘ３に比べ前記設定温度Ｔ１以上高いとき、前記浴槽の残り湯の熱回収を行う手段Ｅとを有するのが好ましい。
【０００８】
本発明に係る熱回収システムにおいて、前記制御装置は、熱回収開始入力からの経過時間が予め設定された設定時間Ｐとなったのを検知した場合、前記浴槽の残り湯の熱回収を開始しない状態にする手段Ｇを有するのが好ましい。
【０００９】
本発明に係る熱回収システムにおいて、前記貯湯タンクの湯水を加熱する加熱手段が設けられ、前記制御装置は、該加熱手段による前記貯湯タンクの湯水の加熱終了以降に検知した該貯湯タンク内下部の湯水の最低温度Ｘｂを記録し、前記手段Ｂ又は前記手段Ｅによる熱回収が終了した時点での前記浴槽の残り湯の温度が、予め設定された設定温度Ｔ３に前記最低温度Ｘｂを加えた温度より低い場合には、該浴槽の残り湯の熱回収を開始しない状態にする手段Ｈを有するのが好ましい。
【発明の効果】
【００１０】
請求項１〜４記載の熱回収システムは、浴槽の残り湯の熱回収が終了した時点で、新たな熱回収開始入力がなしで、特定の条件で浴槽の残り湯の熱回収を自動的に行うことが可能な待機状態になるので、一度の熱回収開始入力により、複数回浴槽の残り湯の熱回収を自動的に行うことができ、貯湯タンク内の湯水を加熱するためのエネルギー消費を低減することが可能である。
【００１１】
特に、請求項２に記載の熱回収システムは、第１の温度センサによって貯湯タンク内下部の温度Ｘ２を計測し、その後、第１の温度センサが計測する温度が、温度Ｘ２から設定温度Ｔ２を差し引いた温度より低い温度Ｘ３になったのを検知したとき、浴槽の残り湯の温度Ｙ２を計測して、温度Ｙ２が温度Ｘ３に比べ設定温度Ｔ１以上高いとき、浴槽の残り湯の熱回収を行うので、熱回収終了後に再度浴槽の残り湯の熱回収を行うことができ、貯湯タンク内の湯水を加熱するためのエネルギー消費を低減することが可能である。
【００１２】
請求項３に記載の熱回収システムは、熱回収開始入力から設定時間Pが経過したとき、熱回収を開始しない状態になるので、制御装置が、貯湯タンク下部の湯水と浴槽の残り湯が熱回収可能な温度条件になるのを検知するため長時間作動を継続することを回避し、その作動に要する電力消費を抑制可能である。
【００１３】
請求項４に記載の熱回収システムは、加熱手段による貯湯タンクの湯水の加熱以降に計測された貯湯タンク内下部の湯水の最低温度Ｘｂを記録し、熱回収が終了した時点での浴槽の残り湯の温度が、設定温度Ｔ３に最低温度Ｘｂを加えた温度より低い場合、熱回収を開始しない状態になるので、熱回収終了後に制御装置を継続して作動させることなく停止させ、その作動に要する電力消費を抑制可能である。
【図面の簡単な説明】
【００１４】
【図１】本発明の一実施の形態に係る熱回収システムを示す概略説明図である。
【図２】同熱回収システムによる熱回収の動作を示すフローチャート図である。
【発明を実施するための形態】
【００１５】
続いて、添付した図面を参照しつつ、本発明を具体化した実施の形態につき説明し、本発明の理解に供する。
図１に示すように、本発明の一実施の形態に係る熱回収システム１０は、湯水を貯留する貯湯タンク１１と、浴槽１２内の残り湯を熱源に貯湯タンク１１内の湯水を加熱し浴槽１２内の残り湯の熱回収をする熱交換器１３と、貯湯タンク１１内下部の湯水の温度を計測する第１の温度センサ１４（例えばサーミスタ）と、浴槽１２内の残り湯の温度を計測する第２の温度センサ１５（例えばサーミスタ）と、第１の温度センサ１４及び第２の温度センサ１５で計測された温度を検知して浴槽１２内の残り湯の熱回収を行う（実行する）制御装置１６とを有する。また、熱回収システム１０には、貯湯タンク１１の下部から取り出された湯水を加熱し、貯湯タンク１１の上部に給湯し、貯湯タンク１１の湯水を加熱する加熱手段２１が設けられている。
【００１６】
貯湯タンク１１の下部には、水道管１７から水道水が給水される水道水入口１８が備えられ、浴槽１２や、台所等への給湯により貯湯タンク１１内の湯水量が減少したとき、貯湯タンク１１には、水道水入口１８から水道水が給水される。
更に、貯湯タンク１１の下部には、浴槽１２の残り湯によって加熱される湯水を貯湯タンク１１から送り出す出水口１９と、出水口１９と同一高さに配置された湯水の温度を計測する第１の温度センサ１４とが備えられており、第１の温度センサ１４は、出水口１９から送り出される湯水の温度を計測可能である。
【００１７】
貯湯タンク１１の上部には、浴槽１２の湯を加熱するための熱源となる湯を貯湯タンク１１から送り出す出湯口２２が備えられている。出水口１９及び出湯口２２には、出水口１９から送り出された湯水及び出湯口２２から送り出された湯のうち一方のみを熱交換器１３に送る第１の三方弁２０が配管接続されている。
貯湯タンク１１の下部には、出水口１９から送り出された湯水及び出湯口２２から送り出された湯が、第１の三方弁２０と熱交換器１３を経由して貯湯タンク１１内に流入する入湯口２４が備えられている。
熱交換器１３と入湯口２４の間には、第１のポンプ２５が設けられ、第１のポンプ２５は、その作動により、貯湯タンク１１の湯水又は湯を出水口１９又は出湯口２２から取り出し、入湯口２４に送ることができる。
【００１８】
貯湯タンク１１の上部には、混合弁２６が配管接続されており、混合弁２６は、貯湯タンク１１の上部から出湯される湯に水道管１７から供給される水道水を混合して所定温度の湯とし、その湯を浴槽１２に給湯する。
混合弁２６の湯の出側には、混合弁２６で混合された湯を浴槽１２に送るか否かを切換える開閉弁２７が設けられており、開閉弁２７と浴槽１２の間には、開閉弁２７側から浴槽１２側には湯を通すが、浴槽１２側から開閉弁２７側には湯を通さない逆止弁２８が配置されている。
【００１９】
浴槽１２から取り出された残り湯を熱交換器１３を経由して再び浴槽１２に戻す浴槽回路３０が、その両端を浴槽１２に接続して形成されている。浴槽回路３０には、その作動により浴槽１２から取り出した残り湯を浴槽回路３０に流す第２のポンプ３２と、浴槽１２から取り出された残り湯の温度を計測する第２の温度センサ１５と、浴槽回路３０を流れる浴槽１２の残り湯の有無を判定する水流センサ３３とが取付けられている。
【００２０】
貯湯タンク１１の下部には、貯湯タンク１１の湯水を送り出す取水口３４が備えられ、取水口３４は、取水口３４から送り出された湯水を加熱する熱交換器３５を経由して、貯湯タンク１１の上部に配管接続されている。取水口３４と熱交換器３５の間には、取水口３４から湯水を取り出し、熱交換器３５にその湯水を送る第３のポンプ３６が配置されている。
第３のポンプ３６の作動により取水口３４から取り出された貯湯タンク１１の湯水を加熱する加熱手段２１が、熱交換器３５と、熱媒体が循環する熱媒体循環回路３７と、熱源器の一例であるヒートポンプ式熱源器３８とを有して構成されている。
【００２１】
熱交換器３５は、熱媒体循環回路３７を介してヒートポンプ式熱源器３８に接続されており、ヒートポンプ式熱源器３８で加熱された熱媒体を加熱源として貯湯タンク１１の湯水を加熱する。
そして、熱交換器３５で加熱された湯は、貯湯タンク１１の上部に給湯され、貯湯タンク１１は上部に最も高温の湯水を有し上部から下部に近づくにつれ湯水の温度が低くなり下部に最も低温の湯水を有する状態になる。
【００２２】
熱交換器３５と貯湯タンク１１の上部との間に第２の三方弁３９が配置され、第２の三方弁３９はバイパス管４０を介して貯湯タンク１１の下部に配管接続されており、熱交換器３５から送られてきた湯又は湯水を貯湯タンク１１上部に送るか、バイパス管４０を介して貯湯タンク１１の下部に送るかを切換え可能である。
ヒートポンプ式熱源器３８の作動直後で熱交換器３５を通過した湯水の温度が予め設定した設定温度Ｑ（例えば、４０℃）まで上昇していないとき、第２の三方弁３９は、湯水をバイパス管４０経由で貯湯タンク１１の下部に送る状態となり、低温の湯水が貯湯タンク１１の上部に供給され、貯湯タンク１１の上部に在する湯水の温度が低下するのを防止する。そして、熱交換器３５を通過した湯水の温度が設定温度Ｑまで上昇した後に、第２の三方弁３９は、貯湯タンク１１上部に湯を送る状態となる。
【００２３】
制御装置１６は、例えばマイクロコンピュータにより構成され、第１、第２の温度センサ１４、１５で計測された温度を検知でき、また、水流センサ３３から浴槽回路３０に浴槽１２の残り湯が流れていることを示す信号を受信でき、更に、第１、第２、第３のポンプ２５、３２、３６の運転や、第１、第２の三方弁２０、３９、混合弁２６及び開閉弁２７の動作を制御するプログラムが格納されている。
【００２４】
また、制御装置１６には、浴槽１２の湯を貯湯タンク１１の出湯口２２から出湯された湯で加熱する追焚き機能が設けられている。追焚き機能が作動すると、制御装置１６は、第２のポンプ３２を運転し浴槽回路３０に浴槽１２の湯を流すと共に、第１の三方弁２０を出湯口２２からの湯が熱交換器１３に流れる状態にして第１のポンプ２５を運転する。浴槽１２から送り出された湯は、熱交換器１３で貯湯タンク１１の出湯口２２から出湯された湯により加熱され浴槽１２に戻り、浴槽１２内の湯の温度は上昇する。
そして、制御装置１６は、所定温度まで浴槽１２の湯の温度が達した時点で追焚き機能の作動を停止する。なお、第１の三方弁２０は、追焚き機能が作動しているときにのみ、出湯口２２からの湯が熱交換器１３に流れる状態となり、その他のときには、出水口１９からの湯水が熱交換器１３に流れる状態となっている。
【００２５】
更に、制御装置１６には、予め定められた条件下で浴槽１２の残り湯を熱源に貯湯タンク１１の出水口１９から送り出された湯水を加熱（浴槽１２の残り湯の熱回収）する熱回収機能が設けられている。
制御装置１６は、制御装置１６に信号接続された操作盤４１から受信する信号によって操作盤４１で熱回収の開始を要求する操作、即ち熱回収開始入力があったのを検知し、熱回収機能を熱回収を行うことができる熱回収実行可能状態にする。なお、操作盤４１での操作により熱回収実行可能状態にある熱回収機能を熱回収を行わない熱回収実行不可状態にすることも可能である。
【００２６】
また、制御装置１６は、（１）熱回収開始入力があったとき、第１の温度センサ１４によって貯湯タンク１１内下部の湯水の温度Ｘ１を計測すると共に、浴槽１２の残り湯の温度Ｙ１を第２の温度センサ１５によって計測する図示しない手段Ａと、（２）温度Ｙ１が温度Ｘ１より予め設定された設定温度Ｔ１以上高いことを条件に、貯湯タンク１１の湯水を熱交換器１３に送り出し、熱交換器１３で浴槽１２の残り湯の熱回収を行う図示しない手段Ｂと、（３）浴槽１２の残り湯の熱回収が終了した時点で第１の温度センサ１４の計測する温度Ｘ２を記録する図示しない手段Ｃと、（４）手段Ｃによる温度Ｘ２の記録の後、第１の温度センサ１４が計測する温度が温度Ｘ２から予め設定した設定温度Ｔ２を差し引いた温度より低い温度Ｘ３になったことを検知したとき、浴槽１２の残り湯の温度Ｙ２を第２の温度センサ１５によって計測する図示しない手段Ｄと、（５）温度Ｙ２が温度Ｘ３に比べ設定温度Ｔ１以上高いとき、浴槽１２の残り湯の熱回収を行う図示しない手段Ｅとを有する。なお、温度Ｔ１及びＴ２として５〜９℃（ｄｅｇ）の範囲の温度、例えばＴ１に７℃、Ｔ２に５℃が設定される。
【００２７】
図２に示すように、操作盤４１で熱回収開始入力があったとき、制御装置１６は、操作盤４１からの信号を受信して熱回収開始入力があったのを検知し、熱回収機能を熱回収実行可能状態にする（ステップＳ１）。
そして、制御装置１６の手段Ａは、第１の温度センサ１４により貯湯タンク１１内下部の湯水の温度Ｘ１を計測すると共に、第２のポンプ３２を作動して浴槽回路３０に浴槽１２の残り湯を流し、第２の温度センサ１５により浴槽１２の残り湯の温度Ｙ１を計測する（ステップＳ２）。
【００２８】
次に、制御装置１６の手段Ｂは、温度Ｙ１が温度Ｘ１より予め設定された設定温度Ｔ１以上高いか（Ｙ１−Ｘ１≧Ｔ１）否か（Ｙ１−Ｘ１＜Ｔ１）を検知し（ステップＳ３）、Ｙ１−Ｘ１＜Ｔ１の場合（例えば、Ｙ１、Ｘ１、Ｔ１がそれぞれ３８℃、３１℃、７℃の場合）、第２のポンプ３２の作動を停止し、熱回収機能を熱回収実行不可状態にする（ステップＳ４）。
【００２９】
制御装置１６の手段Ｂは、ステップＳ３でＹ１−Ｘ１≧Ｔ１を検知した場合（例えば、Ｙ１、Ｘ１、Ｔ１がそれぞれ４１℃、２５℃、７℃の場合）、第１のポンプ２５を作動し、貯湯タンク１１の出水口１９から熱交換器１３に湯水を送り、熱交換器１３で浴槽１２の残り湯の熱によって出水口１９から送られる湯水を加熱して貯湯タンク１１の入湯口２４に戻し、浴槽１２の残り湯の熱回収を行う（ステップＳ５）。また、制御装置１６の手段Ｂは、第１の温度センサ１４で計測する貯湯タンク１１下部の湯水の温度と第２の温度センサ１５で計測する浴槽１２の残り湯の温度との温度差が予め設定された設定温度Ｔｍより小さくなった時点で第１、第２のポンプ２５、３２を停止し、ステップＳ５で開始された熱回収を終了する。そして、制御装置１６は、手段Ｂによる熱回収が終了した時点で、新たな熱回収開始入力がなしで、特定の条件で、浴槽１２の残り湯の熱回収を自動的に行うことが可能な待機状態になる。なお、特定の条件は、例えば、以下の手段Ｃ〜手段Ｅに示されている。
【００３０】
なお、設定温度Ｔｍとして、熱交換器１３が浴槽１２の残り湯によって出水口１９から送り出される湯水を安定して加熱することができる温度が設定され、この温度は、熱交換器１３の性能によって決定される。また、設定温度Ｔｍは、設定温度Ｔ１より低い温度（例えば３〜７℃の範囲）のため、設定温度Ｔ１に７℃が設定されていれば、設定温度Ｔｍには、例えば５℃が設定される。
そして、制御装置１６の手段Ｃは、熱回収が終了した時点で、第１の温度センサ１４によって計測する貯湯タンク１１下部の湯水の温度Ｘ２（例えば３０℃）を記録する（ステップＳ６）。
【００３１】
制御装置１６の手段Ｄは、第１の温度センサ１４で計測する温度が、ステップＳ６で手段Ｃが記録した温度Ｘ２から設定温度Ｔ２差し引いた温度より低い温度Ｘ３になったのを検知したとき（例えば、Ｘ２、Ｔ２、Ｘ３がそれぞれ３０℃、５℃、２４℃のとき）、第２のポンプ３２を作動して浴槽１２の残り湯を浴槽回路３０に流し、第２の温度センサ１５により浴槽１２の残り湯の温度Ｙ２を計測する（ステップＳ７）。
次に、制御装置１６の手段Ｅは、この温度Ｙ２が温度Ｘ３より設定温度Ｔ１以上高いか（Ｙ２−Ｘ３≧Ｔ１）否か（Ｙ２−Ｘ３＜Ｔ１）を検知し（ステップＳ８）、Ｙ２−Ｘ３＜Ｔ１の場合（例えば、Ｙ２、Ｘ３、Ｔ１がそれぞれ２８℃、２４℃、７℃の場合）、第２のポンプ３２を停止し、熱回収機能を熱回収実行不可状態にする（ステップＳ９）。
【００３２】
制御装置１６の手段Ｅは、ステップＳ８でＹ２−Ｘ３≧Ｔ１を検知した場合（例えば、Ｙ２、Ｘ３、Ｔ１がそれぞれ３２℃、２４℃、７℃の場合）、第１のポンプ２５を作動し、貯湯タンク１１の出水口１９から熱交換器１３に湯水を送り、熱交換器１３で浴槽１２の残り湯の熱によって出水口１９から送られる湯水を加熱して貯湯タンク１１の入湯口２４に戻し、浴槽１２の残り湯の熱回収を行う（ステップＳ１０）。また、制御装置１６の手段Ｅは、第１の温度センサ１４で計測される貯湯タンク１１下部の湯水の温度と第２の温度センサ１５で計測される浴槽１２の残り湯の温度との温度差が設定温度Ｔｍより小さくなった時点で第１、第２のポンプ２５、３２を停止し、ステップＳ１０で開始された熱回収を終了する。
【００３３】
制御装置１６には、ステップＳ１０で開始された熱回収が終了した時点で強制的に熱回収機能を熱回収実行不可状態にする設定αを有した制御機能が設けられている。
制御装置１６は、ステップＳ１０で開始された熱回収が終了した時点で設定αが設定されているか否かを検知して（ステップＳ１１）、設定αが設定されている場合には、熱回収機能を熱回収実行不可状態にする（ステップＳ１２）。
一方で、制御装置１６は、ステップＳ１１で設定αが設定されていないことを検知した場合、その時点で熱回収機能を熱回収実行不可状態にすることなく、ステップＳ６を行い、ステップＳ８でＹ２−Ｘ３＜Ｔ１を検知するまで、ステップＳ６〜ステップＳ８、ステップＳ１０を繰り返し行う。なお、制御装置１６は、ステップＳ８でＹ２−Ｘ３＜Ｔ１を検知したときステップＳ９で熱回収機能を熱回収実行不可状態にする。
【００３４】
また、制御装置１６は、熱回収開始入力からの経過時間が予め設定された設定時間Ｐ（例えば１〜３時間の範囲）となったのを検知した場合、その後に新たな熱回収開始入力があるまで浴槽１２の残り湯の熱回収を開始しない状態にする図示しない手段Ｇを有する。
正確には、手段Ｇは、ステップＳ５又はステップＳ１０で制御装置１６の手段Ｂ又は手段Ｅによって熱回収が行われている最中に熱回収開始入力から設定時間Ｐが経過したのを検知した場合、その熱回収が終了した時点で第１、第２のポンプ２５、３２を停止して熱回収機能を熱回収実行不可状態とし、その設定時間Ｐの経過を検知したのが手段Ｂ及び手段Ｅによる熱回収が行われていないときであれば、即座に熱回収機能を熱回収実行不可状態にする。なお、制御装置１６には、設定時間Ｐが設定される設定βが備えられており、設定βに設定された値がなければ、手段Ｇは、熱回収開始入力からの経過時間を計測せず、熱回収機能が、手段Ｇにより熱回収実行不可状態になることはない。
【００３５】
更に、制御装置１６は、加熱手段２１による貯湯タンク１１の湯水の加熱の終了以降に第１の温度センサ１４で計測し検知した貯湯タンク１１内下部の湯水の最低温度Ｘｂを記録し、制御装置１６の手段Ｂ又は手段Ｅによる熱回収が終了した時点での浴槽１２の残り湯の温度が、予め設定された設定温度Ｔ３（例えば５〜９℃の範囲の温度）に前記最低温度Ｘｂを加えた温度より低い場合には、浴槽１２の残り湯の熱回収を開始しない熱回収実行不可状態にする図示しない手段Ｈを有する。なお、手段Ｈが記録した最低温度Ｘｂは、加熱手段２１による貯湯タンク１１の湯水の加熱が開始されたときに一旦消去され、手段Ｈは、加熱手段２１による加熱が終了した時点から貯湯タンク１１内下部の湯水の最低温度Ｘｂの検知及び記録を再び開始する。
【００３６】
ここで、制御装置１６には、手段Ｈを作動させるか否かが設定される設定γが備えられており、設定γに手段Ｈを作動させないとの設定がされている場合、手段Ｈは、最低温度Ｘｂの記録をせず、熱回収機能が、手段Ｈにより熱回収実行不可状態になることはない。
また、制御装置１６は、最低温度Ｘｂの計測に第１の温度センサ１４を用いる代わりに、水道管１７に水道水の温度を計測する給水温度センサを取り付け、給水温度センサによって、最低温度Ｘｂを計測し、記録することもできる。
【００３７】
以上、本発明の実施の形態を説明したが、本発明は、上記した形態に限定されるものでなく、要旨を逸脱しない条件の変更等は全て本発明の適用範囲である。
例えば、制御装置は、操作盤から受信された信号により熱回収開始入力があったのを検知する代わりに、予め設定された時刻に熱回収開始入力を生じさせるようにしてもよい。
また、貯湯タンク内の湯水を加熱する加熱手段を貯湯タンクの外部に設ける代わりに、貯湯タンク内に配置された熱源器を設けて、貯湯タンク内の湯水を加熱するようにしてもよい。
【符号の説明】
【００３８】
１０：熱回収システム、１１：貯湯タンク、１２：浴槽、１３：熱交換器、１４：第１の温度センサ、１５：第２の温度センサ、１６：制御装置、１７：水道管、１８：水道水入口、１９：出水口、２０：第１の三方弁、２１：加熱手段、２２：出湯口、２４：入湯口、２５：第１のポンプ、２６：混合弁、２７：開閉弁、２８：逆止弁、３０：浴槽回路、３２：第２のポンプ、３３：水流センサ、３４：取水口、３５：熱交換器、３６：第３のポンプ、３７：熱媒体循環回路、３８：ヒートポンプ式熱源器、３９：第２の三方弁、４０：バイパス管、４１：操作盤
【図１】
2010286192.tif 000003
【図２】
2010286192.tif 000004